(57)【特許請求の範囲】
【請求項１】
ノズル孔からのインク粒子の吐出を制御可能とした記録ヘッドと、前記インク粒子の飛行方向を偏向するために対向配置された第一、第二の偏向電極と、記録情報信号に基づいて前記インク粒子の吐出とその飛行方向の偏向を制御する手段と、前記ノズル孔から吐出されるインク粒子の発生状態を検知するインク粒子検知手段を備え、前記吐出したインク粒子により被記録体上に記録するインクジェット記録装置において、
前記ノズル孔から吐出されるインク粒子の発生状態を検知するインク粒子検知モードで、前記ノズル孔からのインク粒子を間欠的に吐出するインク吐出制御手段と、
前記インク粒子検知モードで、第一の偏向電極に第一の直流電圧を印加し、第二の偏向電極に前記第一の直流電圧とは異なる第二の直流電圧をコンデンサの充電電圧または電池の出力電圧にて印加して、インク粒子を第二の偏向電極側へ大きく偏向するように制御する偏向制御手段と、
前記インク粒子検知モードで、第二の偏向電極に付着した荷電した微小なインク粒子の電荷量による放電電流を検出するインク電流検知手段を備えたことを特徴とするインクジェット記録装置。
【請求項２】
請求項１において、前記記録ヘッドは、列状に複数個の前記ノズル孔を配置したことを特徴とするインクジェット記録装置。
【請求項３】
請求項１または２において、前記電池の出力電圧によって前記コンデンサを充電する形態での前記コンデンサの電圧を、前記第二の直流電圧として前記第二の偏向電極に印加するとともに、前記電池を前記コンデンサから切離した状態で前記放電電流を検出するようにしたことを特徴とするインクジェット記録装置。
【請求項４】
ノズル孔からのインク粒子を吐出する記録ヘッドと、前記インク粒子の飛行方向を偏向するために対向配置された第一、第二の偏向電極と、記録情報信号に基づいて前記インク粒子の飛行方向の偏向を制御する手段と、前記ノズル孔から吐出されるインク粒子の発生状態を検知するインク粒子検知手段を備えたインクジェット記録装置の制御方法において、
インク粒子検知モードの全期間に亘って、前記インク粒子を第二の偏向電極側へ大きく偏向するための互いに異なる第一および第二の直流電圧を前記第一および第二の偏向電極にそれぞれ印加するとともに、コンデンサの充電電圧または電池の出力電圧を、前記第二の偏向電極に前記第二の直流電圧として印加するステップと、
前記インク粒子検知モードのうちの第一の期間において、前記インク粒子を間欠的に吐出するステップと、
前記インク粒子検知モードのうちの第二の期間において、前記第二の偏向電極に付着した荷電した微小なインク粒子の電荷量による放電電流に関係する電気量を検出するステップを有することを特徴とするインクジェット記録装置の制御方法。
【請求項５】
請求項４において、前記電池の出力電圧によって前記コンデンサを充電する形態での前記コンデンサの電圧を、前記第二の直流電圧として前記第二の偏向電極に印加するステップと、前記電池を前記コンデンサから切離した状態で前記放電電流を検出するステップを有することを特徴とするインクジェット記録装置の制御方法。
【発明の詳細な説明】
【０００１】
【発明の属する技術分野】
本発明はインクジェット記録装置に関し、特にインク粒子の発生状態の監視機能を備えたインクジェット記録装置に関する。
【０００２】
【従来の技術】
連続記録用紙に高速で印刷する高速インクジェット記録装置として、ライン走査型インクジェット記録装置が提案されている。この装置では、インク粒子吐出用のノズル孔を列状に配置した長尺インクジェット記録ヘッドを、連続記録用紙の幅方向に、幅いっぱいに記録用紙面に対向して配置している。画像や印字（以下、単に画像と記す）記録に際しては、これらのノズル孔から吐出するインク粒子の記録用紙面への着地を記録信号に応じて選択的に制御する。同時に連続記録用紙を連続記録用紙の長手方向に高速移動させて走査する。そして、この走査とインク粒子の記録用紙への着地制御で走査線への記録ドット形成の制御を行い、記録画像を記録用紙上に得る。
【０００３】
このライン走査型インクジェット記録装置としては、コンティニュアス・インクジェット方式の記録ヘッドを使用する装置や、オンデマンド・インクジェット方式の記録ヘッドを使用する装置が多く提案されている。
【０００４】
このうちオンデマンド・インクジェット方式のライン走査型インクジェット記録装置はコンティニュアス・インクジェット方式の装置に比べて記録速度では及ばないが、インクシステムが非常に簡単である等のため、普及型の高速記録装置を提供するのに適している。
【０００５】
このようなライン走査型のインクジェット記録装置は、欠陥ノズルがあると記録ヌケや記録ムラなどが発生するので、記録画像の質を高めるためにはノズルから吐出されるインク粒子の発生状態を監視する必要がある。
【０００６】
このようなインク粒子の発生状態を監視するインクジェット記録装置が、特開昭６１−５３０５３号公報に開示されている。このインクジェット記録装置は、インク粒子荷電信号を所定期間発生した後に、インク粒子の荷電量検出信号を所定期間検出して、インク粒子の荷電状態を検出する装置であり、検出信号増幅度を変化させる可変増幅手段と、荷電信号発生期間中はその増幅度を低下させ、荷電量検出期間中はその増幅度を上昇させる増幅度制御信号を前記可変増幅手段に与える増幅度制御信号発生回路を設け、荷電量検出信号検出期間中以外に電気的ノイズを増幅して誤検出しないようにしている。
【０００７】
【発明が解決しようとする課題】
この従来のインク粒子の発生状態を検知するインクジェット記録装置は、パルス状の高電圧信号であるインク粒子荷電信号を使用しているので、その影響が微小な信号である荷電量検知信号に現われ、Ｓ／Ｎ比が悪くなる欠点がある。
【０００８】
本発明の目的とするところは、インク粒子の発生状態を高Ｓ／Ｎ比で検知できるインクジェット記録装置を提供することにある。
【０００９】
【課題を解決するための手段】
本発明は、その一面において、オンデマンド・インクジェット方式記録ヘッドを使用したライン走査型インクジェット記録装置において、ノズル孔から吐出されるインク粒子の発生状態を検知するインク粒子検知モ−ドを備え、インク粒子検知モ−ドの第一の期間に、ノズル孔からインク粒子を吐出するインク吐出制御手段と、インク粒子検知モ−ドの全期間に亘り、第一の偏向電極に第一の直流電圧を印加し第二の偏向電極に第二の直流電圧を印加する偏向制御手段と、インク粒子検知モ−ドの第二の期間に、第二の偏向電極に付着したインク粒子による放電電流を検出するインク電流検知手段とを設けたことを主特徴とする。
【００１０】
本発明の望ましい一実施態様においては、偏向電極に付着したインク粒子による電流を検出するためには、ノズル孔から吐出されるインク粒子の発生状態を検知するインク粒子検知モ−ドに設定して、まず、偏向制御手段が、インク粒子検知モ−ドの全範囲に亘って第一の偏向電極に第一の直流電圧例えばア−ス電位を印加し、第二の偏向電極に第二の直流電圧例えば負の数百[Ｖ]を印加する。インク粒子検知モ−ドの第一の期間に、インク吐出制御手段が吐出信号を間欠的に制御してインクを吐出させる。偏向電極に直流電圧が印加されている状態でインクを吐出するので、インク粒子は荷電され、この第一の期間は吐出期間あるいは荷電期間と言うことができる。次に、インク粒子検知モ−ドの第二の期間には、インク電流検知手段により、第二の偏向電極に付着したインク粒子に基づく放電電流を検出する。
【００１１】
前記の偏向電極への印加電圧は、インク粒子検知モ−ドの全期間に亘って、前記インク粒子を第二の偏向電極側へ大きく偏向するための直流電圧を第一，第二の偏向電極に印加している。
【００１２】
ここで、第二の偏向電極に印加する第二の直流電圧は、コンデンサの充電電圧または電池の出力電圧であることが望ましい。
【００１３】
微小な粒径のインク粒子が吐出される異常な状態の下で、インク粒子検知モ−ドに設定すると、吐出（荷電）期間中に、インク粒子は、第一の偏向電極に印加される第一の直流電圧と第二の偏向電極に印加される第二の直流電圧によって正極性に荷電され、第二の偏向電極側へ大きく偏向させられる。ここで、不十分で微小な粒径のインク粒子が存在すれば、これらは、第二の偏向電極の第二の直流電圧に吸引され、第二の偏向電極に付着する。そこで、検知期間において、荷電した微小な粒径のインク粒子が第二の偏向電極に付着したことによって、流れる放電電流を検出する。
【００１４】
インク粒子検知モ−ドにおいて、偏向電極には、パルス電圧のようなスイッチング電圧ではなく、両偏向電極に安定した直流電圧を印加しており、電気的なノイズのない高Ｓ／Ｎ比の検知出力が得られる。
【００１５】
【発明の実施の形態】
以下、本発明の一実施例について図を参照しながら説明する。
【００１６】
図１は本発明によるインクジェット記録装置の全体構成図である。図１のスイッチ６００、スイッチ６０１、スイッチ６０２の状態は、ノズル孔２３１からのインク粒子の発生状態を検知するインク粒子検知モ−ドの設定になっている。
【００１７】
記録ヘッド２００はインクを吐出する各ノズル孔２３１が所定間隔、例えば１〜２ｍｍ程度になるように記録用紙１００表面上に対向させ、かつ記録用紙１００の幅方向（図１の奥行き方向）に配置させる。
【００１８】
図２は図１のインクジェット記録装置の動作を示すタイムチャ−トである。図２のタイムチャ−トを参照して、図１のインクジェット記録装置の動作を説明する。
【００１９】
図２（ａ）のように、インク粒子検知モ−ドと記録モ−ドを切り替えるインク粒子検知／記録切り替え信号６０５を「０」にして、ノズル孔２３１からのインク粒子の発生状態を検知するインク粒子検知モ−ドに設定する。この設定は、電源投入時に自動的に行ったり、例えば、プリント１時間毎あるいは１０００頁毎に自動的に行うことが望ましい。もちろん、手動で設定するように、あるいは自動との併用でも構わない。
【００２０】
インク粒子検知モ−ドには、インク粒子を荷電する荷電動作モ−ドと荷電したインク粒子を検知する検知動作モ−ドの２つの動作がある。典型的な例としては、この２つの動作で約１ｍｓ程度であり、これらを２回繰り返す（２ｍｓ）ことで、監視精度を向上することができる。
【００２１】
インク粒子検知モ−ドの設定にすると、図２（ｆ）のように荷電動作モ−ドと検知動作モ−ドを切り替える荷電／検知切り替え信号６０６は最初「０」になり、インク粒子を荷電する荷電動作モ−ドになる。
【００２２】
インク粒子検知／記録切り替え信号６０５が「０」になると、スイッチ６００とスイッチ６０１は図１の接続状態に、荷電／検知切り替え信号６０６が「０」になると、スイッチ６０２は０Ｎになる。
【００２３】
従って、第一の偏向電極３１０はＧＮＤ（グランド）に、すなわち０（Ｖ）に設定され、第二の偏向電極３２０は荷電電圧源６０３の設定電圧「−Ｖ１」に設定される。同時に、コンデンサ６０９は荷電電圧源６０３から抵抗６０４を介して「−Ｖ１」に充電される。
【００２４】
ノズルが故障して、ノズル孔目詰まりやノズルへの気泡滞留によるインク粒子吐出不能、あるいはノズル孔半詰まりやノズル孔周辺部のインクによる不均一な濡れに伴うインク吐出方向の曲がり等が発生する状態になると、ノズルから微小な粒径のインク粒子が吐出される。
【００２５】
ノズルが故障して、ノズル孔目詰まりやノズルへの気泡滞留によるインク粒子吐出不能、あるいはノズル孔半詰まりやノズル孔周辺部のインクによる不均一な濡れに伴うインク吐出方向の曲がり等が発生すると、ノズルから微小な粒径のインク粒子が吐出される状態になる。
【００２６】
今、ノズル孔２３１が故障して、正常時より微小なインク粒子６０８が吐出される状況であると仮定する。
【００２７】
荷電（吐出）動作モ−ドでは、すなわち上記したスイッチ６００〜６０２の設定状態で、圧電素子２３５に図２（ｂ）の吐出信号６０７が印加されると、ノズル孔２３１から吐出された微小なインク粒子６０８は、第一の偏向電極３１０（印加電圧「０（Ｖ）」）と第二の偏向電極３２０（印加電圧「−Ｖ１」）の電圧設定により、正極性に荷電される。
【００２８】
次に、図２（ｆ）のように、荷電／検知切り替え信号６０６が「１」に反転して、検知動作モ−ドにする。検知動作モ−ドでは、圧電素子２３５に印加される吐出信号６０７は停止するので、ノズル孔２３１から微小な流径のインク粒子は吐出されない。また、スイッチ６０２は０ＦＦになるので、第二の偏向電極３２０には荷電（吐出）動作モ−ドで負極性に充電されたコンデンサ６０９の充電電圧が印加され、引き続き、−Ｖ１[Ｖ]に保つ。コンデンサ６０９の充電電圧は静的でノイズのない負極性の電圧であるので、荷電（吐出）期間にノズル孔２３１から吐出されて、正極性に荷電した微小なインク粒子６０８は、負極性の充電電圧が印加された第二の偏向電極３２０に引き寄せられ、第二の偏向電極３２０に付着する。なお、ノズル孔２３１から吐出される通常の粒径のインク粒子は、正極性に荷電していても吐出速度が大きいので、偏向電極３２０に付着しないで、記録用紙１００に到達する。
【００２９】
第二の偏向電極３２０に付着した微小な荷電インク粒子６０８の正電荷によって、充電されていたコンデンサ６０９の負電荷が中和されるので、コンデンサ６０９の第二の偏向電極３２０と反対側の電極に充電されていた正電荷が、フォトカプラ６１０のＦＥＴ部６１８を通ってグランドに移動する。その結果、付着した微小なインク粒子の電荷量に相当する放電電流が流れる。
【００３０】
フォトカプラ６１０とフォトカプラ６１２は、入力部の発光ダイオ−ド６１７と６１９に流れる電流を制御することによって、出力部（ＦＥＴ）６１８と６２０の０Ｎ抵抗を制御できるもので、出力部（ＦＥＴ）の０Ｎ抵抗は数十O〜数百ＭOまで変化させることができる。
【００３１】
検知動作モ−ドの時、荷電／検知切り替え信号６０６は「１」であり、フォトカプラ６１０の発光ダイオ−ド６１７には電流が流れないので、フォトカプラ６１０の０Ｎ抵抗は大きく、逆にインバ−タ６１６によってフォトカプラ６１２の入力信号は「０」になり、フォトカプラ６１２の発光ダイオ−ド６１９には電流が流れるので、フォトカプラ６１２のＦＥＴ部６２０の０Ｎ抵抗は小さくなる。
【００３２】
従って、第二の偏向電極３２０に付着した荷電した微小インク粒子による放電電流は、フォトカプラ６１０のＦＥＴ部６１８の両端に大きな検知電圧として取り出され、さらに、オペアンプ６１１でインピ−ダンス変換され、フォトカプラ６１２のＦＥＴ部６２０の０Ｎ抵抗値と抵抗６１４の抵抗値で決まる倍率の増幅率でオペアンプ６１３によって増幅され、検知出力６１５となる。すなわち、検知出力６１５は高倍率の増幅度で増幅される。検知出力６１５が高倍率で増幅されても、コンデンサ６０９の充電電圧は静的でノイズのない電圧であるので、検知期間中のノイズは格段に小さくなる。
【００３３】
このように、荷電動作期間から検知動作期間に亘って、安定した低ノイズの直流偏向電圧を用いるとともに、荷電動作期間で低増幅率に、検知動作期間中には高増幅率に、それぞれ制御しているので、高Ｓ／Ｎ比の検知出力６１５が得られる。
【００３４】
以上のように、この実施例においては、インク粒子検知モ−ド内のインク粒子吐出期間及びインク粒子検知期間に亘って、第一，第二の偏向電極にそれぞれ異なる直流電圧を印加する手段と、インク粒子検知期間における一方の偏向電極を通る放電電流に関係する電気量を検出する手段を備えている。
【００３５】
図１に示した記録ヘッド２００の詳細と、図２（ａ）の検知切り替え信号６０５が「１」の時、すなわち記録時の詳細動作について以下に説明する。
【００３６】
図３は記録ヘッド２００とその周辺の構成を示す図であり、図４は図３中で丸で囲んだ記録部領域１、すなわち記録ヘッド２００が記録している一部分を拡大した部分拡大図で、記録動作原理を説明する図である。
【００３７】
本例によるライン走査型インクジェット記録装置は、所定記録速度で記録用紙１００の長手方向となる第２の方向（図３においてはＢ方向：主走査方向）に移動する連続記録用紙１００上に、走査線１１０（図４参照）の密度ＤＳで画像を高速記録する装置である。
【００３８】
図３に示すように、記録ヘッド２００は複数個のリニア記録ヘッドモジュ−ル２１０と、この複数個の記録ヘッドモジュ−ル２１０を所定の位置関係で並べて保持する枠体２２０を備える。複数個のリニア記録ヘッドモジュ−ル２１０はそれぞれ同一構造で、図４に示すように、Ｎ個のノズル孔をノズルピッチＰＮで列状に配置したノズル列２１１を備える。リニア記録ヘッドモジュ−ル２１０は、ノズル孔２３１を開口とするＮ個のノズル２３０よりなる。ノズル２３０は、ノズル孔２３１を開口端とするインク加圧室２３２、このインク加圧室２３２にインクを導くインク流入孔２３３、インク流入孔２３３にインクを供給するマニホ−ルド２３４を備える。また、インク加圧室２３２にはインク加圧室の体積を記録信号の印加に応じて変化させるＰＺＴ等の圧電素子２３５等のアクチュエ−タが取り付けられている。各ノズルの構造は同一構造である。
【００３９】
本例の記録ヘッド２００は走査線密度ＤＳ＝３００ｄｐｉ用の一例であり、ノズル列２１１の第１の方向（図においてはＡ方向）と走査線１１０の角度?＝ＴａＮ-1（１／５）；約１１.３度であり、ＰＮ＝２／３００（ＳｉＮ（１／５））-1インチ；約０.０３４インチである。またＮ＝９６である。このノズル孔配置のリニア記録ヘッドモジュ−ル２１０を図３に示すように、走査線と垂直な方向、すなわち記録用紙１００の記録幅の方向に、記録用紙の記録領域をカバ−する分の１３個が枠体２２０に固定してある。この記録ヘッド２００を記録用紙１００表面と各ノズル孔が所定間隔、例えば１〜２ＭＭ程度になるように記録用紙１００表面上に対向させ、かつ連続記録用紙の幅方向に配置させる。
【００４０】
記録ヘッド２００の各リニアヘッド２１０のノズル列を挟むように、対向する記録紙１００の前面に一対の電極、すなわち正極性偏向電極３１０と負極性偏向電極３２０を設置する。この電極配置は各リニアヘッドに対して同様に設置され、図３に示すように各極性同士が電極配置基板３３０上で束ねられ、正極性偏向電極端子３４１と負極性偏向電極端子３４２に接続されている。そして、これら電極に、偏向制御信号発生回路４００からの偏向制御信号電圧を印加する。偏向制御信号発生回路４００は、インク粒子を荷電するための荷電信号を発生する荷電信号作成回路４１０と、帯電粒子を偏向するための静電場を発生させるための正極性偏向電圧源４２１、負極性偏向電圧源４２２、これら偏向電圧に荷電信号発生回路４１０からの信号電圧を重畳する正極性バイアス回路４３１、負極性バイアス回路４３２よりなる。
【００４１】
入力デ−タまたはテストパタ−ンデ−タに基づき画像の画素デ−タを作成する記録信号作成回路５１０と、インクジェット記録装置全体の動作タイミングを規定するタイミング信号を発生するタイミング信号発生回路５２０と、この画素デ−タとタイミング信号発生回路５２０からのタイミング信号に基づき、各ノズルが適切なタイミングでインク粒子を吐出するための各ノズルＰＺＴ用の駆動パルスを発生するＰＺＴ駆動パルス作成回路５３０と、この駆動パルスをＰＺＴ駆動のために十分な信号レベルに増幅するＰＺＴドライバ回路５４０を備え、ＰＺＴドライバ回路５４０からの駆動パルスが各ノズルのＰＺＴに加えられインク粒子を所定のタイミングで吐出する。
【００４２】
ＰＺＴ駆動パルス作成回路５３０は、前記画素デ−タとタイミング信号発生手段からのタイミング信号に基づき、各ノズルが適切なタイミングでインク粒子を吐出するための各ノズル用の駆動信号を発生する。
【００４３】
図５は荷電・偏向電極に印加する荷電・偏向信号（Ａ）、（Ｂ）と、各ノズル用のＰＺＴ駆動信号（ａ）〜（ｄ）、そして各インク粒子の偏向量（ａ'）〜（ｄ'）を示したタイミングチャ−ト、図６は記録ドット形成状態（ｅ）を示した図であり、以下図３〜６を参照しながら記録動作を説明する。
【００４４】
図３で偏向電極３１０、３２０に（Ａ）（Ｂ）の信号が印加されると、図４のように正電極には＋Ｈ、負電極には−Ｈの偏向電圧がかかると共に、０〜アＶｃ間で変化する荷電電圧が加わるようになる。この荷電電圧は時間間隔Ｔごとに電圧が変化している。この印加により、偏向用の静電場と、荷電用の電場が形成される。
【００４５】
一方、記録ヘッド２００中のインクはグランド電位、即ち「０」電位に落としてある。従って、ノズルから吐出するインクと電極間に前記の荷電電圧が印加されることになる。そして、インクの導電性が数百Oｃｍ以下と良好である場合には、インク粒子１３０がノズル孔２３１中のインクから分離する時に印加されている荷電電圧に応じて帯電して記録紙１００に向かって飛行することになる。帯電インク粒子はその電荷量に応じて前記偏向用静電場で偏向方向Ｃの方向に偏向される。
【００４６】
図４でノズル孔２３１Ａから噴出したインク粒子１３０は前記偏向により走査線１１０Ｎ＋１から１１０Ｎ＋５上に着地可能で、記録ドット１４０ＡＮ＋１から１４０ＡＮ＋５等を形成可能である。同様にノズル孔２３１Ｂから噴出したインク粒子は前記偏向による走査線１１０Ｎ＋３から１１０Ｎ＋７上に着地可能、ノズル孔２３１Ｃから噴出したインク粒子は前記偏向による走査線１１０Ｎ＋５から１１０Ｎ＋９上に着地可能である。従って、１１０Ｎ＋５にはノズル孔２３１Ａ,２３１Ｂ,２３１Ｃの３ノズル孔から吐出されるインク粒子を振り向けて記録可能であり、１１０Ｎ＋４や１１０Ｎ＋６等は２ノズル孔から吐出されるインク粒子で記録可能である。
【００４７】
次に図５（ａ）〜（ｄ）のＰＺＴ駆動信号時の記録動作を説明する。図６は記録用紙１００上の記録ドットの記録状態であり、図中Ａがノズル孔２３１の配列方向で、２３１Ａ',２３１Ｂ',２３１Ｃ'は図４中ノズル２３１Ａ,２３１Ｂ,２３１Ｃの記録用紙１００への投影位置である。また、図６に表れている縦方向の線は時分割・偏向参照線であって、この線が時間間隔Ｔを示す。
【００４８】
いま、ノズル孔２３１Ａからのインク粒子吐出に注目する。図５のＴ1の時間帯では（Ａ）（Ｂ）に示すように荷電電圧が０であるので、（ａ）に示すノズル２３１ＡのＰＺＴへのＰＺＴ駆動信号パルス印加で吐出したインク粒子は荷電されず直進して、例えば図６の走査線１１０N+3上の画素１２０ＡT1に着地して画素を記録する。引き続く時間帯Ｔ２では、（ａ）に示すように、ノズル２３１ＡのＰＺＴにはＰＺＴ駆動信号パルスが印加されないため、インク粒子の吐出が無く、記録ドットは形成されない。Ｔ３では、荷電電圧が−Ｖｃであるので、この電圧により帯電した粒子の偏向量は−２となり、走査線１１０N+5上の画素１２０ＡT3の位置に着地し、記録ドットを形成する。Ｔ４では、ノズル孔２３１Ａで記録ドットは形成されず、Ｔ５では荷電電圧は＋１／２Ｖｃであるので、この電圧により荷電した粒子の偏向量は＋１となり、走査線１１０N+2上の画素１２０ＡT5の位置に着地し、記録ドットを形成する。このような記録動作を２３１Ｂ,２３１Ｃ,２３１Ｄ等他のノズルについても行うことで、図６のように各画素を記録ドットで埋めて行く。
【００４９】
以上説明したように、本発明によれば、ノズル孔からのインク粒子の発生状態を検知するインク粒子検知モ−ドを備え、インク粒子検知モ−ドでノズル孔からのインク粒子を間欠的に吐出すインク吐出制御手段と、インク粒子検知モ−ドで第一の偏向電極に第一の直流電圧を印加し，第二の偏向電極に第二の直流電圧を印加する偏向制御手段と、第二の偏向電極に付着したインク粒子による放電電流を検出するインク電流検知手段とを備えていて、インク粒子検知モ−ドで、パルス電圧のようなスイッチング信号ではなく、第一の偏向電極と第二の偏向電極に安定した直流電圧を印加しており、さらに、第二の偏向電極に印加する第二の直流電圧として、コンデンサの充電電圧または電池の出力電圧を印加しているので、電気的なノイズのない高Ｓ／Ｎ比の検知出力が得られる。
【００５０】
【発明の効果】
本発明によれば、電気的なノイズのない高Ｓ／Ｎ比の検知出力が得られるインクジェット記録装置又はその制御方法を提供することができる。
【図面の簡単な説明】
【図１】本発明の一実施例によるインクジェット記録装置の全体構成図である。
【図２】図１のインクジェット記録装置の動作を示すタイムチャ−トである。
【図３】図１の記録ヘッドとその周辺の構成図である。
【図４】図３の記録動作部の部分拡大図である。
【図５】図１の記録動作を説明する図である。
【図６】図５の記録動作により形成された記録ドット形成状態を示す図である。
【符号の説明】
１３０…インク粒子、２００…記録ヘッド、２３１…ノズル孔、３１０…正極性偏向電極、３２０…負極性偏向電極、６００，６０１，６０２…スイッチ、６０３…荷電電圧源、６０５…検知／記録切り替え信号、６０６…荷電／検知切り替え信号、６０７…吐出信号、６０８…微小なインク粒子、６０９…コンデンサ、６１５…検知出力。
【図１】
0004631164.tif 000002
【図２】
0004631164.tif 000003
【図３】
0004631164.tif 000004
【図４】
0004631164.tif 000005
【図５】
0004631164.tif 000006
【図６】
0004631164.tif 000007